【事件の表示】
　特許第２８５９７５６号「音楽情報処理装置及び音楽情報処理方法」の請求項１、２に係る特許に対する特許異議の申立てについて、次のとおり決定する。
【結　論】
　特許第２８５９７５６号の請求項１ないし２に係る特許を維持する。
【理　由】
１．手続の経緯
　本件特許第２８５９７５６号の請求項１、２に係る発明（平成３ 年６月２１日出願）は、平成１０年１２月４日にその特許の設定登録がなされ、これに対して、斎藤博文より特許異議の申立てがなされ、平成１３年１０月１８日にその特許の取り消し決定がなされ、平成１３年１２月１１日に東京高等裁判所に出訴、その出訴期間中の平成１４年１１月７日に願書に添付した明細書を訂正することについての訂正の審判（２００２年審判第３９２３８号）が請求され、平成１４年１２月１７日にその訂正を認める審決がなされ、それに伴い、平成１５年２月１０日の判決によって上記決定が取り消されたものである。
　
２．本件発明 
   本件特許の請求項１、２に係る発明は、上記訂正の審判において認められたとおり、平成１４年１１月７日付け訂正審判請求書に添付した訂正明細書の特許請求の範囲の請求項１、２に記載された次のとおりのものである。
「【請求項１】任意に指定された表示座標及び任意に指定された長さに対応した楽譜の複数の五線の表示用のグラフィックパターンを表示手段に表示するとともに、楽譜の五線以外の各種音楽記号の表示用のグラフィックパターンを当該表示手段に表示する手段と、
　この表示手段に表示される表示用のグラフィックパターンの表示座標に対応させて、上記各種音楽記号の表示用のグラフィックパターンの音楽的意味を示す音楽記号情報を記憶する手段と、
　上記表示手段の中で上記五線をサーチするために指定された五線範囲の中で、複数の五線を順次サーチし、このサーチされた複数の五線を演奏順に整理し、この演奏順の情報と当該五線の上記表示座標とを対応づけて記憶するとともに、上記サーチされた五線が連結五線であれば連結五線であることを示す情報も併せて記憶する手段と、
　上記各五線ごとに、当該五線を含み、この五線の前、後、上、下に所定の寸法を有する五線エリアを設定し、この設定された五線エリアの大きさを記憶する手段と、
　この記憶された大きさの五線エリア内の当該五線以外の上記記憶されている音楽記号情報を順次サーチして、このサーチされた五線以外の音楽記号情報を、上記表示座標に基づいて順番に演奏順に整理し、発音のための演奏情報として出力し、これらのサーチ、整理及び出力を上記演奏順に整理された他の五線についても順次繰り返して、上記五線の演奏順に当該演奏情報を整理し、当該五線が上記連結五線であることを示すデータを有していれば、この連結五線の音楽記号情報については並行して演奏されるように演奏情報を整理し、出力するとともに、設定されたテンポ及び設定された音色で当該演奏情報を出力する手段とを備えたことを特徴とする音楽情報処理装置。（以下、「本件発明１」という。）
【請求項２】任意に指定された表示座標及び任意に指定された長さに対応した楽譜の複数の五線の表示用のグラフィックパターンを表示手段に表示させるとともに、楽譜の五線以外の各種音楽記号の表示用のグラフィックパターンを当該表示手段に表示させ、
　この表示手段に表示される表示用のグラフィックパターンの表示座標に対応させて、上記各種音楽記号の表示用のグラフィックパターンの音楽的意味を示す音楽記号情報を記憶する手段につき、
　上記表示手段の中で上記五線をサーチするために指定された五線範囲の中で、複数の五線を順次サーチさせ、このサーチされた複数の五線を演奏順に整理し、この演奏順の情報と当該五線の上記表示座標とを対応づけて記憶させるとともに、上記サーチされた五線が連結五線であれば連結五線であることを示す情報も併せて記憶させ、
　上記各五線ごとに、当該五線を含み、この五線の前、後、上、下に所定の寸法を有する五線エリアを設定させ、この設定された五線エリアの大きさを記憶させ、
　この記憶された大きさの五線エリア内の当該五線以外の上記記憶されている音楽記号情報を順次サーチさせて、このサーチされた五線以外の音楽記号情報を、上記表示座標に基づいて順番に演奏順に整理させ、発音のための演奏情報として出力させ、これらのサーチ、整理及び出力を上記演奏順に整理された他の五線についても順次繰り返しさせて、上記五線の演奏順に当該演奏情報を整理させ、当該五線が上記連結五線であることを示すデータを有していれば、この連結五線の音楽記号情報については並行して演奏されるように演奏情報を整理させ、出力させるとともに、設定されたテンポ及び設定された音色で当該演奏情報を出力させることを特徴とする音楽情報処理方法。（以下、「本件発明２」という。）」
　
３．異議申立てについて
３−１．異議申立ての理由の概要
　異議申立人斎藤博文は、
甲第１号証：特公平３−２４６７９号公報
　を提出して、本件請求項１、２に係る特許発明は、甲第１号証に記載された発明に基いて、当業者が容易に発明することができたものであるから特許法第２９条第２項の規定により特許を受けることができないものであり、その特許は取り消されるべきものであると主張している。
　
３−２．異議申立人が提出した甲第１号証に記載の事項 
　甲第１号証（以下「刊行物」という。）には、以下の事項が記載されている。
　第３欄第２２〜２４行には、「第２図は表示画面上に表示された五線譜パターンと、座標Ｘｍ，Ｙｎにおける画素パターンとの関係を示す図、」、
　第４欄第８〜２３行には、「楽譜作成スイッチを操作すると、ＣＲＴディスプレイの表示画面上には、表示領域を異ならせて五線譜と各種の音楽記号とが同時に表示される。次いで、ライトペンを使用して表示させたい音楽記号を指定すると、指定された音楽記号に対応する表示パターンが読出される。次いで、表示画面上に写し出された五線譜上において、前記指定された音楽記号を表示させるべき位置をライトペンで指定する。すると、指定された音楽記号に対応する表示パターンが、五線譜上の指定箇所に表示されるのである。
　従って、オペレータはライトペンによって音楽記号を指定し、次いで五線譜上における表示位置を指定するという動作を繰り返すだけで済み、このような簡単な操作によって美しい楽譜を表示画面上において作成することができる。」、
　第５欄第１３〜２１行には、「ＣＲＴディスプレイ５は、画像表示器として機能するＣＲＴと、このＣＲＴに表示させるべき各種の表示パターンデータを記憶させた表示パターンゼネレータとから構成されており、この表示パターンゼネレータに記憶された各種の表示パターンデータは、後述するディスプレイ用ＲＡＭ８に記憶された各コードによってアドレッシングされ、このアドレッシングされた表示パターンデータがＣＲＴに表示されることとなる。」、
　第５欄第２２〜２７行には、「ライトペンインターフェイス６はライトペン６ａからの人力信号に基づいて、ライトペン６ａの先端が指定している表示画面上の座標を検出するためのもので、このライトペンインターフェイス６からはライトペンが指定した座標Ｘｍ,Ｙｎに対応するデータが出力される。」、
　第５欄第３２〜３８行には、「ディスプレイ用ＲＡＭ８は、ＣＲＴ表示画面に対応する記憶エリアを２組備えており、第７図に示す如く、一方のエリアには初期表示用の五線譜及び音楽記号表示データLine(ｍ,ｎ)及びMark(ｍ,ｎ)が、他方のエリアには選択された音楽記号データMark(ｍ,ｎ)が記憶されるようになされている。」、
　第６欄第２〜４行には、「この例では第２図に示すごとき五線譜の各画素が、表示画面上の座標Ｘｍ，Ｙｎに対応させて第３図の如く記憶されている。」、
　第６欄第２８〜３１行には、「ステップ(5)；五線データＲＯＭ１０内にコード化して記憶された五線データLine(ｍ,ｎ)(第３図参照)をディスプレイ用ＲＡＭ８内の初期表示データエリア(第７図参照)へと転送する。」、
　第６欄第３１〜３４行には、「ここで、前述の如く、各五線データLine（ｍ，ｎ）は、第２図に示す如く座標Ｘｍ，Ｙｎで表される小領域（画素）の表示パターンに対応している。」、
　第６欄第３５〜４１行には、「ステップ(6)；記号データＲＯＭ９にコード化されて記憶された各種音楽記号表示データを、ディスプレイ用ＲＡＭ８内に設けられた初期表示エリア(第７図参照)に全て転送する。ここで、前述の如く、記号データＲＯＭ９の各アドレスには、第５図に示す如く各座標Ｘｍ,Ｙｎに対応する音楽記号データＭark(ｍ，ｎ)が記憶されている。」、
　第６欄第４２行〜第７欄第１行には、「ステップ(7)；ライトペン６aにより指定された表示画面上の座標Ｘm，ＹnをＣＰＵ２内に取込み、これをワーキングＲＡＭ１内の所定のライトペン座標レジス夕に記憶させる。」、
　第７欄第８〜１４行には、「ステップ(9)；ワーキングＲＡＭ１内のライトペン座標レジスタの内容を参照して、ライトペン６aで指定された座標が、表示画面上において、記号エリアに該当するかあるいは五線譜エリアに該当するかを判定し、記号エリアに該当する場合にはステップ(10)へと進み、五線譜エリアに該当する場合にはステップ(12)へと進む。」、
　第７欄第１４〜２０行には、「この例では、五線譜エリアの座標はＸｐ〜Ｘｑ，Ｙｊ〜Ｙｋで設定されており、記号エリアの座標はＸｐ〜Ｘｑ，Ｙｋ〜Ｙｓ及びＸｑ〜Ｘｔ，Ｙｊ〜Ｙｓに設定されているから、前記ライトペン座標が何れの領域に該当するかを判定することによって、ライトペン座標が記号、五線譜の何れのエリアに該当するかを決定する。」、
　第７欄第２１〜２７行には、「ステップ(11)；ライトペン座標Ｘm，Ｙnで指定される音楽記号データＬine(ｍ，ｎ)（「Ｍark(ｍ，ｎ)」の誤記と認められる。）を記号データＲＯＭ９から読出し、これをワーキングＲＡＭ１内に設けられた記号データレジスタ(第６図参照)に転送する。このとき、記号データの中には音楽記号データだけではなく、キャンセルコードも含まれている。」、
　第７欄第３５〜３９行には、「ステップ(13)；ライトペン座標Ｘm′ ，Ｙn′ で指定されるディスプレイ用ＲＡＭ８内の楽譜形成エリア内のアドレスに、そのときワーキングＲＡＭ１の記号データレジスタに記憶されている記号データを転送する。」、
　第８欄第４１〜４４行には、「次いで、第１０図に仮想線で示す如く、前記指定した音楽記号を表示させるべき画面上の位置(Ｘm′，Ｙn′ )を、ライトペン６ａによって指定する」、
　第９欄第７〜１０行には、「表示画面上のライトペンにより指定された位置には第１０図に示す如く、前記指定された音楽記号が転送表示されることとなる。」、
　第１８欄第３〜６行には、「作成された楽譜を構成する音楽記号を順次音高及び符長データに変換し、これを各種楽器のトーンゼネレータに接続すれば、作成された楽譜を直ちに自動演奏させることも可能である。」との事項が図面とともに記載されている。
　
　これらの記載からみて、上記刊行物には、
「五線譜パターンをＣＲＴディスプレイ５に表示するとともに、楽譜の五線以外の各種の音楽記号の表示パターンを当該ＣＲＴディスプレイ５に表示する手段と、
　このＣＲＴディスプレイ５に表示される表示パターンの表示画面上の座標(Ｘm′，Ｙn′ )に対応させて、上記各種の音楽記号の表示パターンの音楽記号データＭark(ｍ，ｎ)を記憶するワーキングＲＡＭ１、ディスプレイ用ＲＡＭ８を備えた楽譜作成機。」の発明（以下「刊行物記載の発明」という。）が記載されていると認められる。
　
３−３．対比
　（本件発明１について）
　本件発明１（以下「前者」という。）と刊行物記載の発明（以下「後者」という。）とを対比すると、
　後者の「五線譜パターン」は、前者の「楽譜の複数の五線の表示用のグラフィックパターン」に相当し、以下同様に、後者の「ＣＲＴディスプレイ５」は、前者の「表示手段」に、後者の「楽譜の五線以外の各種の音楽記号」は、前者の「楽譜の五線以外の各種音楽記号」に、後者の「表示パターン」は、前者の「表示用のグラフィックパターン」に、後者の「表示パターンの表示画面上の座標(Ｘm′，Ｙn′ )」は、前者の「表示用のグラフィックパターンの表示座標」に、後者の「各種の音楽記号の表示パターンの音楽記号データＭark(ｍ，ｎ)」は、前者の「各種音楽記号の表示用のグラフィックパターンの音楽的意味を示す音楽記号情報」に、後者の「ワーキングＲＡＭ１、ディスプレイ用ＲＡＭ８」は、前者の「記憶する手段」に相当し、
　後者の「楽譜作成機」も「音楽情報処理装置」であると認められるから、
　両者は、
「楽譜の複数の五線の表示用のグラフィックパターンを表示手段に表示するとともに、楽譜の五線以外の各種音楽記号の表示用のグラフィックパターンを当該表示手段に表示する手段と、
　この表示手段に表示される表示用のグラフィックパターンの表示座標に対応させて、上記各種音楽記号の表示用のグラフィックパターンの音楽的意味を示す音楽記号情報を記憶する手段とを備えた音楽情報処理装置」である点で一致するものの、
　前者では、
「任意に指定された表示座標及び任意に指定された長さに対応した楽譜の複数の五線の表示用のグラフィックパターンを表示手段に表示する手段と、
　表示手段の中で上記五線をサーチするために指定された五線範囲の中で、複数の五線を順次サーチし、このサーチされた複数の五線を演奏順に整理し、この演奏順の情報と当該五線の上記表示座標とを対応づけて記憶するとともに、上記サーチされた五線が連結五線であれば連結五線であることを示す情報も併せて記憶する手段と、
　上記各五線ごとに、当該五線を含み、この五線の前、後、上、下に所定の寸法を有する五線エリアを設定し、この設定された五線エリアの大きさを記憶する手段と、
　この記憶された大きさの五線エリア内の当該五線以外の上記記憶されている音楽記号情報を順次サーチして、このサーチされた五線以外の音楽記号情報を、上記表示座標に基づいて順番に演奏順に整理し、発音のための演奏情報として出力し、これらのサーチ、整理及び出力を上記演奏順に整理された他の五線についても順次繰り返して、上記五線の演奏順に当該演奏情報を整理し、当該五線が上記連結五線であることを示すデータを有していれば、この連結五線の音楽記号情報については並行して演奏されるように演奏情報を整理し、出力するとともに、設定されたテンポ及び設定された音色で当該演奏情報を出力する手段とを備えた」構成としているのに対して、
　後者では、このような構成を備えていない点で相違しているものと認められる。
　
　（本件発明２について）
　本件発明２（以下「前者」という。）と刊行物記載の発明（以下「後者」という。）とを対比すると、
　本件発明２は、本件発明１とはカテゴリーが相違するのみで実質的に同じものと認められ、かつ、刊行物記載の発明は、また、方法の発明と捉えられるので、上記「（本件発明１について）」で述べたと同じ理由により、
　両者は、
「楽譜の複数の五線の表示用のグラフィックパターンを表示手段に表示させるとともに、楽譜の五線以外の各種音楽記号の表示用のグラフィックパターンを当該表示手段に表示させ、
　この表示手段に表示される表示用のグラフィックパターンの表示座標に対応させて、上記各種音楽記号の表示用のグラフィックパターンの音楽的意味を示す音楽記号情報を記憶する音楽情報処理方法」である点で一致するものの、
　前者では、
「任意に指定された表示座標及び任意に指定された長さに対応した楽譜の複数の五線の表示用のグラフィックパターンを表示手段に表示させ、
　表示手段の中で上記五線をサーチするために指定された五線範囲の中で、複数の五線を順次サーチさせ、このサーチされた複数の五線を演奏順に整理し、この演奏順の情報と当該五線の上記表示座標とを対応づけて記憶させるとともに、上記サーチされた五線が連結五線であれば連結五線であることを示す情報も併せて記憶させ、
　上記各五線ごとに、当該五線を含み、この五線の前、後、上、下に所定の寸法を有する五線エリアを設定させ、この設定された五線エリアの大きさを記憶させ、
　この記憶された大きさの五線エリア内の当該五線以外の上記記憶されている音楽記号情報を順次サーチさせて、このサーチされた五線以外の音楽記号情報を、上記表示座標に基づいて順番に演奏順に整理させ、発音のための演奏情報として出力させ、これらのサーチ、整理及び出力を上記演奏順に整理された他の五線についても順次繰り返しさせて、上記五線の演奏順に当該演奏情報を整理させ、当該五線が上記連結五線であることを示すデータを有していれば、この連結五線の音楽記号情報については並行して演奏されるように演奏情報を整理させ、出力させるとともに、設定されたテンポ及び設定された音色で当該演奏情報を出力させる」構成としているのに対して、
　後者では、このような構成を備えていない点で相違しているものと認められる。
　
３−４．判断
　（本件発明１について）
　上記相違点について検討する。
　上記刊行物に、「作成された楽譜を構成する音楽記号を順次音高及び符長データに変換し、これを各種楽器のトーンゼネレータに接続すれば、作成された楽譜を直ちに自動演奏させることも可能である。」（第１８欄第３〜６行）と記載され、該記載において、「音楽記号」は「五線以外の音楽記号」のことであり、「五線以外の音楽記号」は、表示座標に対応させて「音楽記号情報」として記憶されており、「音楽記号を順次音高及び符長データに変換」する処理は、「五線以外の音楽記号情報を、表示座標に基づいて順番に演奏順に整理」することを伴うものであり、記憶されている音楽記号情報に基づいて自動演奏するために、「発音のための演奏情報として出力する手段」を備えることは当業者にとって自明であるから、
　前者の「五線以外の音楽記号情報を、表示座標に基づいて順番に演奏順に整理し、発音のための演奏情報として出力」する点は、上記刊行物に記載されているといえる。
　そして、「五線以外の音楽記号情報を、表示座標に基づいて順番に演奏順に整理」するために、「五線以外の記憶されている音楽記号情報を順次サーチする」ことが必要となることは、当業者であれば容易に想到し得ることである。
　したがって、作成された楽譜に基づいて自動演奏しようとして、
「五線以外の記憶されている音楽記号情報を順次サーチして、このサーチされた五線以外の音楽記号情報を、表示座標に基づいて順番に演奏順に整理し、発音のための演奏情報として出力」する構成は、上記刊行物に記載された事項に基いて当業者が容易に想到し得ることである。
　しかしながら、本件発明１は、上記構成の他に、
「任意に指定された表示座標及び任意に指定された長さに対応した楽譜の複数の五線の表示用のグラフィックパターンを表示手段に表示する手段と、
　表示手段の中で上記五線をサーチするために指定された五線範囲の中で、複数の五線を順次サーチし、このサーチされた複数の五線を演奏順に整理し、この演奏順の情報と当該五線の上記表示座標とを対応づけて記憶するとともに、上記サーチされた五線が連結五線であれば連結五線であることを示す情報も併せて記憶する手段と、
　上記各五線ごとに、当該五線を含み、この五線の前、後、上、下に所定の寸法を有する五線エリアを設定し、この設定された五線エリアの大きさを記憶する手段と」を備え、
　「この記憶された大きさの五線エリア内の当該五線以外の上記記憶されている音楽記号情報を順次サーチ」するものであり、
　さらに、一つの五線についての、五線以外の記憶されている音楽記号情報の「サーチ、整理及び出力を演奏順に整理された他の五線についても順次繰り返して、上記五線の演奏順に当該演奏情報を整理し、当該五線が上記連結五線であることを示すデータを有していれば、この連結五線の音楽記号情報については並行して演奏されるように演奏情報を整理し、出力するとともに、設定されたテンポ及び設定された音色で当該演奏情報を出力する手段とを備えた」構成としているものであり、上記刊行物にはこのような構成は記載されておらず、示唆する記載もない。
　そして、上記相違点に係る構成を具備する本件発明１は、明細書記載の「楽譜を表示するだけでなく、表示した楽譜に応じた演奏を耳で聞くことができ、作曲上または音楽教育上非常に有効である。」及び「五線等の音楽記号については、その長さを任意に指定することができ、音部記号についても、五線とは別に入力および表示させることができ、任意の楽譜を作成することができる。」という効果を奏するものである。
　したがって、本件発明１は上記刊行物記載の発明に基づいて当業者が容易に発明をすることができたものとすることはできない。
　
　（本件発明２について）
　本件発明２は、本件発明１とはカテゴリーが相違するのみで実質的に同じものと認められ、かつ、上記刊行物に記載の発明は、また、方法の発明と捉えられるので、上記「（本件発明１について）」で述べたと同じ理由により、本件発明２は上記刊行物記載の発明に基づいて当業者が容易に発明をすることができたものとすることはできない。
　
４．むすび 
　以上のとおりであるから、特許異議の申立ての理由及び証拠によっては、本件発明１、２についての特許を取り消すことができない
   また、他に本件発明１、２についての特許を取り消すべき理由を発見しない。
　したがって、本件発明１、２についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令２０５号）第４条第２項の規定により、結論のとおり決定する。
【異議決定日】
平成１３年１０月１８日（２００１．１０．１８）